(57)【要約】【課題】気体の排出処理（すなわち、呼び水作用）を迅速におこなうことができ、かつ、構成の簡素化を図ることができる遠心ポンプを提供する。【解決手段】遠心ポンプ２０は、自吸運転をおこなう際に、ケース内流路４７の呼び流体を開口部３８から内部に導き、導いた呼び流体を内部の気体とともにボリュート吐出口３９からケース内流路４７に導き、ケース内流路４７に導かれた気体をケース部材２２のケース吐出口２８から外部に排出するものである。この遠心ポンプ２０は、ケース部材２２からケース内流路４７に突出部５１が突出され、突出部５１でケース内流路４７に流路絞部４８が形成され、突出部５１が、ケース吐出口２８の下流側で、かつ、開口部３８の上流側に設けられている。【選択図】図６
2013234602.tif 000002
【特許請求の範囲】
【請求項１】
ケース部材の内部にボリュートが設けられることにより前記ケース部材および前記ボリュートでケース内流路が形成され、前記ボリュートの内部に羽根車が設けられ、前記羽根車の回転により自吸運転をおこなう際に、前記ケース内流路の呼び流体を前記ボリュートの下部に設けられた開口部から前記内部に導き、導いた呼び流体を前記内部の気体とともに前記ボリュートの吐出口から前記ケース内流路に導き、前記ケース内流路に導かれた気体を前記ケース部材の吐出口から外部に排出する遠心ポンプにおいて、
前記ケース部材から前記ケース内流路に突出部が突出されることにより、突出された前記突出部で前記ケース内流路に流路絞部が形成され、
前記突出部が、前記ケース部材の吐出口の下流側で、かつ、前記開口部の上流側に設けられたことを特徴とする遠心ポンプ。
【請求項２】
前記ケース内流路の前記流路絞部が前記羽根車の回転中心より下方に設けられたことを特徴とする請求項１記載の遠心ポンプ。
【発明の詳細な説明】
【技術分野】
【０００１】
本発明は、ボリュート内に羽根車を備え、羽根車を回転することによりボリュート内に吸い込んだ流体をボリュートに沿わせて送り出し、送り出した流体を外部に吐出する遠心ポンプに関する。
【背景技術】
【０００２】
遠心ポンプのなかには、ボリュートの内部に回転軸が回転自在に突出され、突出させた回転軸に羽根車が設けられ、羽根車に隣接させて自吸水分離室が設けられたものがある。
この遠心ポンプによれば、羽根車に隣接させて自吸水分離室を設けることで、自吸運転において呼び流体（呼び水作用を奏する流体）に含まれた気泡状の気体を分離し、呼び水作用を好適に奏することが可能になる（例えば、特許文献１参照。）。
【０００３】
具体的には、自吸運転の際に、呼び流体を遠心ポンプ内に供給し、羽根車を回転させることにより、供給された呼び流体がボリュート内の羽根車で自吸水分離室に導かれる。
自吸水分離室に導かれた呼び流体は、自吸水分離室の内部で螺旋状に案内され、気泡状の気体から呼び流体が遠心分離され、気体のみが遠心ポンプの外部に排出される。
【０００４】
ボリュート内から気体を排出することでボリュート内に負圧を発生させ、発生させた負圧でボリュート内に水などの流体（以下、「流体」という）を吸い込む。
自吸運転においてボリュート内に流体を吸い込んだ後、定常運転においてボリュート内の流体を羽根車の遠心力で吐出する。
【先行技術文献】
【特許文献】
【０００５】
【特許文献１】特許第２６５２７２５号公報
【発明の概要】
【発明が解決しようとする課題】
【０００６】
しかし、特許文献１の遠心ポンプは、自吸運転の際に、ボリュート内の気体を遠心ポンプの外部に排出する呼び水作用をおこなうために、羽根車に隣接させて自吸水分離室を設ける必要がある。
このため、遠心ポンプの構成が複雑になり、遠心ポンプの量産化が難しく、この観点から改良の余地が残されていた。
【０００７】
本発明は、気体の排出処理（すなわち、呼び水作用）を迅速におこなうことができ、かつ、構成の簡素化を図ることができる遠心ポンプを提供することを課題とする。
【課題を解決するための手段】
【０００８】
請求項１に係る発明は、ケース部材の内部にボリュートが設けられることにより前記ケース部材および前記ボリュートでケース内流路が形成され、前記ボリュートの内部に羽根車が設けられ、前記羽根車の回転により自吸運転をおこなう際に、前記ケース内流路の呼び流体を前記ボリュートの下部に設けられた開口部から前記内部に導き、導いた呼び流体を前記内部の気体とともに前記ボリュートの吐出口から前記ケース内流路に導き、前記ケース内流路に導かれた気体を前記ケース部材の吐出口から外部に排出する遠心ポンプにおいて、前記ケース部材から前記ケース内流路に突出部が突出されることにより、突出された前記突出部で前記ケース内流路に流路絞部が形成され、前記突出部が、前記ケース部材の吐出口の下流側で、かつ、前記開口部の上流側に設けられたことを特徴とする。
【０００９】
請求項２に係る発明は、前記ケース内流路の前記流路絞部が前記羽根車の回転中心より下方に設けられたことを特徴とする。
【発明の効果】
【００１０】
請求項１に係る発明では、ケース部材からケース内流路に突出部を突出させてケース内流路に流路絞部を形成した。さらに、この突出部をケース吐出口の下流側で、かつ、開口部の上流側に設けた。
ケース内流路に流路絞部を形成することにより流路絞部の流路断面積を小さく抑えることができる。
よって、自吸運転において、ボリュートの吐出口からケース内流路に導いた呼び流体を突出部の上流側で緩やかに流すことができる。すなわち、ケース内流路に導いた呼び流体の流速を突出部の上流側で抑えることができる。
【００１１】
ここで、突出部は開口部の上流側に設けられているので、呼び流体に含まれた気泡状の気体を開口部の上流側で好適に分離させることができ、気体の分離を促進できる。
これにより、気泡状の気体を開口部からボリュートの内部に吸い込むことを防止できる。したがって、ケース吐出口から遠心ポンプの外部に気体を効率よく排出することが可能になり、ボリュートの内部に蓄えられた気体の排出処理（すなわち、呼び水作用）を迅速におこなうことができる。
【００１２】
さらに、ケース内流路に突出部を突出してケース内流路に流路絞部を形成するだけの簡単な構成で、気体の排出処理（すなわち、呼び水作用）を迅速におこなうことができる。
これにより、遠心ポンプの構成の簡素化を図ることができ、遠心ポンプの量産化を容易におこなうことができる。
【００１３】
請求項２に係る発明では、ケース内流路の流路絞部を羽根車の回転中心より下方に設けた。この流路絞部は流路断面積が小さく抑えられている。
また、ボリュートの開口部はボリュートの下部（すなわち、羽根車の回転中心より下方）に設けられている。
よって、ボリュートの開口部を、流路断面積の小さい流路絞部に対応（連通）させて配置できる。これにより、ケース内流路に供給する呼び流体を少量に抑えた状態で、ボリュートの開口部まで呼び流体を満たして自吸運転をおこなうことができる。
【００１４】
一方、ケース内流路のうち流路絞部の上方は流路絞部より大きな流路断面積に確保され、大きく確保された流路断面積の部位で気体の排出処理（すなわち、呼び水作用）を迅速におこなうことができる。
したがって、自吸運転をおこなう際に、必要とする呼び流体を少量に抑えることが可能で、かつ、自吸性能を向上させることができる。
【図面の簡単な説明】
【００１５】
【図１】本発明に係る実施例１の遠心ポンプユニットを示す斜視図である。
【図２】図１の遠心ポンプを示す断面図である。
【図３】図１のケース部材を破断した状態を示す斜視図である。
【図４】図３の４−４線断面図である。
【図５】図１のケース部材を背面側から見た状態を示す斜視図である。
【図６】図２の６−６線断面図である。
【図７】実施例１のケース内流路に呼び水を供給する例を説明する図である。
【図８】実施例１のボリュート内流路から気体を排出する例を説明する図である。
【図９】実施例１のボリュート内流路に吸い込んだ流体をケース内流路に送り出す例を説明する図である。
【図１０】実施例１のケース内流路に送り出された流体を遠心ポンプの外部に吐出する例を説明する図である。
【図１１】（ａ）は本発明に係る実施例２の遠心ポンプを示す断面図、（ｂ）は実施例２の突出部を示す斜視図である。
【発明を実施するための形態】
【００１６】
本発明を実施するための最良の形態を添付図に基づいて以下に説明する。
【実施例１】
【００１７】
実施例１に係る遠心ポンプ２０について説明する。
図１に示すように、遠心ポンプユニット１０は、エンジン１４および遠心ポンプ２０を覆うように枠状に形成されたフレーム１１と、フレーム１１のベース１２に設けられたエンジン１４と、エンジン１４に設けられるとともにベース１２に設けられた遠心ポンプ２０とを備えている。
【００１８】
エンジン１４は、ベース１２にシリンダブロック１５が設けられ、シリンダブロック１５に遠心ポンプ２０のケース部材２２が設けられ、シリンダブロック１５からケース部材２２内にクランク軸１６の端部１６ａ（図２参照）が突出されている。
【００１９】
図２に示すように、クランク軸１６は、端部１６ａの近傍部位１６ｂがメカニカルシール１７に回転自在に支持され、端部１６ａが遠心ポンプ２０の羽根車３１に連結されている。
よって、エンジン１４を駆動してクランク軸１６を回転することにより、クランク軸１６で羽根車３１が回転される。
【００２０】
遠心ポンプ２０は、シリンダブロック１５に仕切部材２１を介してボルト止めされたケース部材２２と、ケース部材２２の内部に設けられてクランク軸１６の端部１６ａに連結された羽根車３１と、羽根車３１を覆うボリュート３５とを備えている。
【００２１】
また、遠心ポンプ２０は、ケース部材２２のケース吸込口２５に連通された吸込ノズル４２と、ケース部材２２および吸込ノズル４２間に上端部４３ａが挟持された開閉部４３と、ケース部材２２のケース吐出口（ケース部材の吐出口）２８に連通された吐出ノズル４５とを備えている。
【００２２】
ケース部材２２のケース開口部２３が仕切部材２１で閉塞され、仕切部材２１にボリュート３５が設けられることにより、ケース部材２２、仕切部材２１およびボリュート３５でケース内流路４７が形成されている。
特に、このケース内流路４７は、ケース部材２２およびボリュート３５間に略環状に形成されている。
【００２３】
図２、図３に示すように、ケース部材２２は、ケース開口部２３が仕切部材２１で閉塞され、仕切部材２１に対峙する吸込側壁部２４と、吸込側壁部２４に形成されたケース吸込口２５と、ケース吸込口２５に連通された吸込通路部２６と、吸込側壁部２４の側縁２４ａ（図４参照）に沿って環状（筒状）に形成された周壁部２７と、周壁部２７の上部２７ｃ（図５参照）に設けられたケース吐出口２８とを有する。
【００２４】
吸込側壁部２４の下方部位２４ｂ、すなわち吸込通路部２６の下部位２６ａの下方に突出部５１を有する。
突出部５１は、吸込側壁部２４の下方部位２４ｂからケース内流路４７に向けて突出（膨出）されている。
吸込側壁部２４の下方部位２４ｂに突出部５１を一体に形成することにより、突出部５１を別部材で形成する場合と比べて軽量化やコンパクト化を図ることができる。
【００２５】
図４、図５に示すように、突出部５１は、吸込側壁部２４の下方部位２４ｂ（図３参照）からボリュート３５に向けて水平に張り出された頂部位５２と、頂部位５２から下方に向けて垂下されることによりボリュート３５に対向（対峙）する壁部位５３とを有する。
【００２６】
図６に示すように、頂部位５２は、吸込通路部２６の下部位２６ａおよび上流側の周壁部２７ａ間に設けられた上流側頂部位５２ａと、吸込通路部２６の下部位２６ａおよび下流側の周壁部２７ｂ間に設けられた下流側頂部位５２ｂとを有する。
上流側の周壁部２７ａは、ケース内流路４７のうち開口部３８の上流側を形成する壁部である。
下流側の周壁部２７ｂは、ケース内流路４７のうち開口部３８の下流側を形成する壁部である。
【００２７】
上流側頂部位５２ａは、ケース吐出口２８の下流側で、かつ、ボリュート３５の開口部３８の上流側の範囲Ｈに設けられる。
好ましくは、上流側頂部位５２ａは、範囲Ｈのうち吸込通路部２６の下部位２６ａに設けられている。
【００２８】
また、図５に示すように、壁部位５３は、頂部位５２の縁辺５２ｃから下方に向けて垂下されることにより、上辺５３ａが頂部位５２に沿って直線状に形成され、下辺５３ｂが周壁部２７の下部に沿って湾曲状に形成されている。
すなわち、壁部位５３は、半月状に形成されている。
壁部位５３にドレーン口５５が形成されている。ドレーン口５５にドレーンプラグ５６がねじ結合されることにより、ドレーン口５５がドレーンプラグ５６で閉塞されている（図３参照）。
【００２９】
図２、図３に示すように、吸込側壁部２４の下方部位２４ｂに突出部５１を設けることにより、ケース内流路４７の下部に流路絞部４８が形成されている。
流路絞部４８は、ケース内流路４７の他の部位に比べて流路断面積Ｓ１が小さく形成されている。
さらに、流路絞部４８は、羽根車３１の回転中心３４の下方、詳しくはボリュート吸込口３６の下側に設けられ、ボリュート３５の開口部３８に対して同じ高さに対応して配置される。
よって、ボリュート３５の開口部３８が流路絞部４８に連通されている。
【００３０】
また、吸込側壁部２４にケース吸込口２５が設けられ、ケース吸込口２５に吸込通路部２６が連通されている。
吸込通路部２６は、ボリュート３５の吸込口（ボリュート吸込口）３６に連通されている。ボリュート吸込口３６は、吸込通路部２６およびケース吸込口２５を経て吸込ノズル４２に連通されている（図１も参照）。
【００３１】
さらに、周壁部２７の上部２７ｃ（図５参照）にケース吐出口２８が設けられ、ケース吐出口２８に吐出ノズル４５が連通されている（図１も参照）。
吐出ノズル４５の上部に流体供給口６１が設けられ、流体供給口６１が供給プラグ６２で閉塞されている。
流体供給口６１は、ボリュート３５の上方に配置されている。
【００３２】
仕切部材２１は、クランク軸１６と同軸上に支持孔２１ａが形成され、支持孔２１ａにメカニカルシール１７が同軸上に支持され、メカニカルシール１７にクランク軸１６（端部１６ａの近傍部位１６ｂ）が回転自在に支持されている。
【００３３】
クランク軸１６の端部１６ａは、メカニカルシール１７を介してボリュート３５の内部に突出されている。
クランク軸１６（端部１６ａの近傍部位１６ｂ）はメカニカルシール１７を介して仕切部材２１に回転自在に支持されている。
よって、ボリュート３５の内部の流体が、近傍部位１６ｂから外部に漏れることをメカニカルシール１７で機械的に制限可能である。
【００３４】
ボリュート３５の内部に突出されたクランク軸１６の端部１６ａに羽根車３１が設けられている。
羽根車３１は、ボリュート３５の内部に設けられ、クランク軸１６の端部１６ａに設けられたハブ３２と、ハブ３２に設けられた複数の羽根３３とを備えている。
複数の羽根３３は、ハブ３２のうち、メカニカルシール１７の反対側の表面３２ａに設けられている。
この羽根車３１は、ボリュート３５で覆われることによりボリュート３５の内部に収納されている。
【００３５】
ボリュート３５は仕切部材２１にボルト６６で取り付けられている。
このボリュート３５は、ケース部材２２の内部に設けられ、羽根車３１を収納可能に形成されたケーシングである。
ボリュート３５および仕切部材２１でボリュート内流路６８が形成されている。
このボリュート３５は、ケース部材２２の吸込通路部２６に連通されたボリュート吸込口３６と、ボリュート吸込口３６（羽根車３１）の周囲に渦巻形に形成されたボリュート本体３７とを有する。
【００３６】
ボリュート本体３７は、下端部３７ａに開口部３８が形成され、左側上部３７ｂにボリュート吐出口（ボリュート３５の吐出口）３９が形成されている（図６も参照）。
開口部３８は、ケース内流路４７の呼び流体をボリュート３５の内部（すなわち、ボリュート内流路６８）に導くための開口である。
【００３７】
ボリュート吐出口３９は、自吸運転において、ボリュート内流路６８に導かれた呼び流体を、ボリュート内流路６８の気体とともにケース内流路４７に導き出す吐出口である。
また、ボリュート吐出口３９は、定常運転において、ボリュート吸込口３６からボリュート内流路６８に導かれた流体をケース内流路４７に導き出す吐出口である。
【００３８】
さらに、ケース部材２２および吸込ノズル４２間に開閉部４３の上端部４３ａが挟持されている。
開閉部４３は、ケース部材２２および吸込ノズル４２間に上端部４３ａが挟持されることにより、上端部４３ａを支点にして閉位置Ｐ１および開位置Ｐ２間で矢印方向に揺動自在に支持されている。
閉位置Ｐ１は吸込ノズル４２を閉じる位置であり、開位置Ｐ２は吸込ノズル４２を開ける位置である。
【００３９】
吐出ノズル４５に流体供給口６１が設けられることにより、流体供給口６１がボリュート３５の上方に配置される。この流体供給口６１が供給プラグ６２で閉じられている。
流体供給口６１から供給プラグ６２が外されることにより流体供給口６１が開口される。
流体供給口６１を開口した状態で、流体供給口６１からケース内流路４７（特に、流路絞部４８）に呼び流体が供給される。
呼び流体とは、遠心ポンプ２０の自吸運転の際に呼び水作用を奏する流体である。
【００４０】
遠心ポンプ２０によれば、図６に示すように、定常運転の際には、羽根車３１を矢印Ａ方向に回転させることにより、ボリュート吸込口３６からボリュート内流路６８内に流体が吸い込まれる。
ボリュート内流路６８内に吸い込まれた流体はボリュート吐出口３９に向けて矢印Ｂの如く送り出される。ボリュート吐出口３９に送り出された流体はケース内流路４７の上部４７ａおよびケース吐出口２８を経て吐出ノズル４５に導かれる。
【００４１】
一方、自吸運転の際には、羽根車３１を矢印Ａ方向に回転させることにより、ケース内流路４７（特に、流路絞部４８）に蓄えられた呼び流体を開口部３８からボリュート内流路６８に吸い込む（導く）。
ボリュート内流路６８内に吸い込まれた流体にボリュート内流路６８の気体が気泡状に含まれ、気泡状の気体とともに流体がボリュート吐出口３９を経てケース内流路４７の上部４７ａに矢印Ｂの如く送り出される。
ケース内流路４７の上部４７ａに送り出されることにより、気泡状の気体が呼び流体から分離され、ケース吐出口２８および吐出ノズル４５を経て遠心ポンプ２０の外部に排出される。
【００４２】
ここで、突出部５１の上流側頂部位５２ａが、ケース吐出口２８の下流側で、かつ、ボリュート３５の開口部３８の上流側に設けられている。加えて、ケース内流路４７に流路絞部４８を形成することにより流路絞部４８の流路断面積Ｓ１が小さく抑えられている。
すなわち、ケース内流路４７のうち流路絞部４８の上流側は流路絞部４８より大きな流路断面積Ｓ２に確保されている。
【００４３】
よって、自吸運転において、ボリュート吐出口３９からケース内流路４７に導いた呼び流体を突出部（具体的には、上流側頂部位５２ａ）の上流側で矢印Ｃ方向に緩やかに流すことができる。すなわち、ケース内流路４７の上部４７ａに導いた呼び流体の流速を上流側頂部位５２ａの上流側で抑えることができる。
ここで、上流側頂部位５２ａは開口部３８の上流側に設けられている。これにより、呼び流体に残留している気泡状の気体を開口部３８の上流側で好適（迅速）に分離させることができる。
【００４４】
さらに、ケース内流路４７に突出部５１を突出させてケース内流路４７に流路絞部４８を形成するだけの簡単な構成で、気体の排出処理（すなわち、呼び水作用）を迅速におこなうことができる。
これにより、遠心ポンプ２０の構成の簡素化を図ることができ、遠心ポンプ２０の量産化を容易におこなうことができる。
【００４５】
ところで、ケース内流路４７の流路絞部４８が羽根車３１の回転中心３４より下方に設けられ、流路絞部４８の流路断面積Ｓ１が小さく抑えられている。
さらに、ボリュート３５の開口部３８がボリュート３５の下部（すなわち、羽根車３１の回転中心３４より下方）に設けられている。
【００４６】
よって、ボリュート３５の開口部３８を、流路断面積Ｓ１の小さい流路絞部４８に対応（連通）させて配置できる。
これにより、ケース内流路４７に供給する呼び流体を少量に抑えた状態で、ボリュート３５の開口部３８まで呼び流体を満たして自吸運転をおこなうことができる。自吸運転をおこなう際に、呼び流体を少量に抑えることができるので自吸運転の容易化が図れる。
【００４７】
つぎに、遠心ポンプ２０を自吸運転する例を図７、図８に基づいて説明する。
図７（ａ）に示すように、遠心ポンプ２０の羽根車３１を停止させた状態で、ボリュート３５の内部（すなわち、ボリュート内流路６８）に気体（一例として、空気）が蓄えられている。
この状態において、流体供給口６１から供給プラグ６２を外して流体供給口６１を開口する。流体供給口６１を開口した状態で、流体供給口６１からケース部材２２の内部（すなわち、ケース内流路４７）に呼び流体７２を矢印Ｄの如く供給する。
【００４８】
図７（ｂ）に示すように、ケース内流路４７に供給された呼び流体７２が、ケース内流路４７の流路絞部４８に矢印Ｅの如く導かれる。
流路絞部４８に呼び流体７２が導かれることにより、流路絞部４８や流路絞部４８の上方に呼び流体７２が蓄えられる。
【００４９】
ここで、ケース内流路４７の流路絞部４８は流路断面積Ｓ１が小さく抑えられている。よって、ケース内流路４７に供給する呼び流体７２を少量に抑えた状態で、ボリュート３５の開口部３８まで呼び流体７２を満たして自吸運転をおこなうことができる。
これにより、自吸運転をおこなう際に、必要とする呼び流体７２を少量に抑えることができる。
【００５０】
この状態で、遠心ポンプ２０をエンジン１４（図７（ａ）参照）で駆動して羽根車３１を矢印Ｆの如く回転する。
羽根車３１を回転することにより、流路絞部４８や流路絞部４８の上方に蓄えられた呼び流体７２を、開口部３８を経てボリュート内流路６８に矢印Ｇの如く導く。
【００５１】
ボリュート内流路６８に導かれた呼び流体７２にボリュート内流路６８の気体が気泡状に含まれる。気体が気泡状に含まれた呼び流体７２が、ボリュート内流路６８に沿ってボリュート吐出口３９に向けて導かれ、ボリュート吐出口３９を経てケース内流路４７の上部４７ａに矢印Ｈの如く送り出される。
【００５２】
図８に示すように、ケース内流路４７の上部４７ａに送り出されることにより、気泡状の気体が呼び流体７２から分離される。分離された気体が吐出ノズル４５から遠心ポンプ２０の外部に矢印Ｉの如く排出される。
気泡状の気体が分離された呼び流体７２がケース内流路４７の上部４７ａから流路絞部４８に向けて矢印Ｊの如く導かれる。
ここで、ケース内流路４７の上部４７ａにおいて、気泡状の気体が呼び流体７２から十分に分離されない虞がある。このため、気泡状の気体が残っている呼び流体７２が開口部３８を経てボリュート内流路６８に導かれ、そのことが自吸性能を高める妨げになることが考えられる。
【００５３】
そこで、突出部５１の上流側頂部位５２ａを、ケース吐出口２８の下流側で、かつ、ボリュート３５の開口部３８の上流側に位置するように吸込通路部２６の下部位２６ａに設けた。
加えて、ケース内流路４７に流路絞部４８を形成することにより流路絞部４８の流路断面積Ｓ１を小さくできる。
【００５４】
よって、ケース内流路４７の上部４７ａから矢印Ｊの如く導かれた呼び流体７２を、上流側頂部位５２ａの上流側で矢印Ｊ方向に緩やかに流すことができる。すなわち、ケース内流路４７に導いた呼び流体７２の流速を上流側頂部位５２ａの上流側で抑えることができる。
これにより、呼び流体７２に残留している気泡状の気体を矢印Ｋ方向（上方向）に好適に分離させることができ、気体の分離を促進できる。
【００５５】
ここで、上流側頂部位５２ａは開口部３８の上流側に設けられている。
よって、気泡状の気体を開口部３８からボリュート内流路６８に吸い込むことを防止できる。
したがって、ケース吐出口２８から遠心ポンプ２０の外部に効率よく排出することが可能になり、ボリュート内流路６８に蓄えられた気体の排出処理（すなわち、呼び水作用）を迅速におこなうことができる。
よって、ボリュート内流路６８に負圧を発生させて、発生させた負圧でボリュート内流路６８にボリュート吸込口３６から流体を吸い込む流体の吸込性を確保できる。
【００５６】
ここで、ケース内流路４７のうち流路絞部４８の上流側は流路絞部４８より大きな流路断面積Ｓ２に確保されている。
これにより、大きく確保された流路断面積Ｓ２の部位で気体の排出処理（すなわち、呼び水作用）を一層迅速におこなうことができるので、自吸性能をさらに向上させることができる。
【００５７】
ついで、遠心ポンプ２０を定常運転する例を図９、図１０に基づいて説明する。
図９（ａ）に示すように、ボリュート内流路６８は、ボリュート吸込口３６、吸込通路部２６およびケース吸込口２５を経て吸込ノズル４２に連通されている。
よって、ボリュート内流路６８に負圧を発生させることにより、吸込ノズル４２、ケース吸込口２５、吸込通路部２６およびボリュート吸込口３６に定常運転用の流体が矢印Ｌの如く吸い込まれる。
ボリュート吸込口３６に吸い込まれた流体がボリュート吸込口３６を経てボリュート３５のボリュート内流路６８に矢印Ｍの如く吸い込まれる。
【００５８】
図９（ｂ）に示すように、ボリュート３５のボリュート内流路６８に吸い込まれた流体が羽根車３１の回転方向（矢印Ｆ方向）に送り出される。
羽根車３１の回転方向に流体が送り出されることにより、送り出される流体がボリュート吐出口３９に向けて矢印Ｎの如く導かれる。ボリュート吐出口３９に導かれた流体がボリュート吐出口３９を経てケース内流路４７の上部４７ａに矢印Ｏの如く送り出される。
【００５９】
図１０に示すように、ケース内流路４７の上部４７ａに送り出された流体がケース吐出口２８に向けて矢印Ｐの如く吐出される。
ケース吐出口２８に向けて吐出された流体が、吐出ノズル４５を経て矢印Ｑの如く遠心ポンプ２０の外部に吐出される。
【００６０】
つぎに、実施例２を図１１に基づいて説明する。
なお、実施例２において実施例１の遠心ポンプ２０と同一・類似部材については同じ符号を付して説明を省略する。
【実施例２】
【００６１】
実施例２に係る遠心ポンプ８０について説明する。
図１１に示すように、遠心ポンプ８０は、実施例１の突出部５１に代えて突出部８２を設けたもので、その他の構成は実施例１の遠心ポンプ２０と同様である。
【００６２】
突出部８２は、ボリュート３５の開口部３８の上流側において、ケース部材２２（吸込側壁部２４の下方部位２４ｂ）からケース内流路４７に突出された張出片である。
具体的には、突出部８２は、吸込通路部２６の下部位２６ａおよび上流側の周壁部２７ａ間に形成されることにより範囲Ｈに設けられている。すなわち、突出部８２は、実施例１の上流側頂部位５２ａ（図５参照）に相当する張出片である。
範囲Ｈは、ケース吐出口２８の下流側で、かつ、ボリュート３５の開口部３８の上流側の範囲である。
【００６３】
ケース内流路４７に突出部８２を設けることにより、突出された突出部８２でケース内流路４７に流路絞部８４が形成される。
流路絞部８４は、ケース内流路４７の他の部位に比べて流路断面積Ｓ３が小さく形成されている。
【００６４】
よって、自吸運転において、ボリュート吐出口３９からケース内流路４７に導いた呼び流体（気泡状の気体が残留している）を突出部８２の上流側で緩やかに流すことができる。すなわち、気泡状の気体が残留している呼び流体の流速を突出部８２の上流側で抑えることができる。
ここで、突出部８２は開口部３８の上流側に設けられている。これにより、呼び流体に残留している気泡状の気体を開口部３８の上流側で好適に分離させることができる。
すなわち、実施例２の遠心ポンプ８０によれば、実施例１の遠心ポンプ２０と同様の効果を得ることができる。
【００６５】
なお、本発明に係る遠心ポンプは、前述した実施例に限定されるものではなく適宜変更、改良などが可能である。
例えば、前記実施例１および実施例２で示した遠心ポンプユニット１０、遠心ポンプ２０，８０、ケース部材２２、ケース吐出口２８、羽根車３１、ボリュート３５、開口部３８、ボリュート吐出口３９、ケース内流路４７、流路絞部４８，８４、突出部５１およびボリュート内流路６８などの形状や構成は例示したものに限定するものではなく適宜変更が可能である。
【産業上の利用可能性】
【００６６】
本発明は、ボリュート内の羽根車を回転してボリュート内に吸い込んだ流体をボリュートに沿わせて送り出し、送り出した流体を吐出する遠心ポンプへの適用に好適である。
【符号の説明】
【００６７】
１０…遠心ポンプユニット、２０，８０…遠心ポンプ、２２…ケース部材、２８…ケース吐出口（ケース部材の吐出口）、３１…羽根車、３４…羽根車の回転中心、３５…ボリュート、３８…開口部、３９…ボリュート吐出口（ボリュートの吐出口）、４７…ケース内流路、４８，８４…流路絞部、５１…突出部、６８…ボリュート内流路（ボリュートの内部）。
【図１】
2013234602.tif 000003
【図２】
2013234602.tif 000004
【図３】
2013234602.tif 000005
【図４】
2013234602.tif 000006
【図５】
2013234602.tif 000007
【図６】
2013234602.tif 000008
【図７】
2013234602.tif 000009
【図８】
2013234602.tif 000010
【図９】
2013234602.tif 000011
【図１０】
2013234602.tif 000012
【図１１】
2013234602.tif 000013